(57)【要約】【課題】  塗装擦れや異音の発生等の不具合を引き起こすことがなく、しかも、艶消し塗装が施されたか否かの検査が容易な計器用見返し部材を提供する。【解決手段】  計器本体の指針等を露出する表示用開口４ａを有し、この表示用開口４ａを覆う表ガラスの内側位置に配置される面に塗装によって艶消し塗装部６を設ける見返し部材４であって、表ガラスに覆われない位置に配置される面に塗装によって塗装識別マーク部７を設けた。このため、計器用見返し部材に艶消し塗装が施されたか否かの確認が容易となる。【選択図】      図２
2006058138.tif 000002
【特許請求の範囲】
【請求項１】
計器本体の表示部を露出する表示用開口を有し、この表示用開口を覆う光透過部材の内側位置に配置される面に艶消し塗装部を設けた計器用見返し部材であって、
前記光透過部材に覆われない位置に配置される面に塗装識別マーク部を設けたことを特徴とする計器用見返し部材。
【請求項２】
計器本体の表示部を露出する表示用開口を有し、この表示用開口を覆う光透過部材の内側位置に配置される面に塗装を施して艶消し塗装部を設ける計器用見返し部材の製造方法であって、
前記光透過部材に覆われない位置に配置される面に塗装を施して塗装識別マーク部を設けることを特徴とする計器用見返し部材の製造方法。
【請求項３】
請求項２記載の計器用見返し部材の製造方法であって、
前記塗装識別マーク部は、前記艶消し塗装部の塗装工程で同時に作製することを特徴とする計器用見返し部材の製造方法。
【発明の詳細な説明】
【技術分野】
【０００１】
本発明は、車両などに搭載される計器に使用される計器用見返し部材およびその製造方法に関する。
【背景技術】
【０００２】
従来、車両等に搭載される種々の計器が提案されている（例えば、特許文献１、特許文献２参照。）。この種の計器２０は、図５に示すように、速度等を示す計器本体２１と、この計器本体２１が固定されるケース本体２２と、このケース本体２２の表面側に組み付けられた計器用ケースである見返し２３と、この見返し２３の表面側に固定され、見返し２３の表示用開口２３ａを覆う表ガラス２４とを備えている。見返し２３の表示用開口２３ａの周縁は、表ガラス２４で覆われている。表ガラス２４で覆われた見返し２３の面には、黒色の艶消し塗装部２５が形成されている。図５では、艶消し塗装部２５を明確に示すためにハッチング表示してある。
【０００３】
計器本体２１の照明光が見返し２３の表示用開口２３ａの周縁で反射するのを艶消し塗装部２５で防止して計器本体２１の表示を見やすくしている。
【特許文献１】特開２０００−７４７０２号公報
【特許文献２】特開２００１−１５３６８７号公報
【発明の開示】
【発明が解決しようとする課題】
【０００４】
しかしながら、見返し２３に表ガラス２４を組み付けた製品状態では、見返し２３の艶消し塗装部２５が表ガラス２４で覆われた内部位置（内側領域）になり、表ガラス２４を通して見ると艶消し塗装がなされているか否かの確認が困難であるという問題があった。
【０００５】
ここで、見返し２３のほぼ全面に艶消し塗装を施すことが考えられる。しかし、艶消し塗装された面に表ガラス２４が接触すると、塗装擦れ、異音の発生等の不具合が生じる。
【０００６】
そこで、本発明は、上述した課題を解決すべくなされたものであり、塗装擦れや異音の発生等の不具合を引き起こすことがなく、しかも、艶消し塗装が施されたか否かの検査が容易である計器用見返し部材及びその製造方法を提供することを目的とする。
【課題を解決するための手段】
【０００７】
請求項１記載の発明、計器本体の表示部を露出する表示用開口を有し、この表示用開口を覆う光透過部材の内側位置に配置される面に艶消し塗装部を設けた計器用見返し部材に関するものである。この発明に係る計器用見返し部材は、光透過部材に覆われない位置に配置される面に塗装識別マーク部を設けたことを特徴としている。
【０００８】
請求項２記載の発明は、計器本体の表示部を露出する表示用開口を有し、この表示用開口を覆う光透過部材の内側位置に配置される面に塗装を施して艶消し塗装部を設ける計器用見返し部材の製造方法に関するものである。この発明に係る計器用見返し部材の製造方法は、光透過部材に覆われない位置に配置される面に塗装を施して塗装識別マーク部を設けることを特徴としている。
【０００９】
請求項３記載の発明は、請求項２記載の計器用見返し部材の製造方法に関するものである。この発明に係る計器用見返し部材の製造方法は、塗装識別マーク部を、艶消し塗装部の塗装工程で同時に作製することを特徴としている。
【発明の効果】
【００１０】
請求項１記載の発明によれば、光透過部材と接触する箇所には艶消し塗装が施されないため、塗装擦れや異音の発生等の不具合を引き起こすことがない。計器用見返し部材に光透過部材を組み付けた製品状態にあって、光透過部材に覆われない位置に配置される塗装識別マーク部の有無をチェックすることによって艶消し塗装の有無を容易に検査できる。
【００１１】
請求項２記載の発明によれば、光透過部材と接触する箇所には艶消し塗装が施されないため、塗装擦れや異音の発生等の不具合を引き起こすことがない。計器用見返し部材に光透過部材を組み付けた製品状態にあって、光透過部材に覆われない位置に配置される塗装識別マーク部の有無をチェックすることによって艶消し塗装の有無を容易に検査できる。
【００１２】
請求項３記載の発明によれば、請求項２の発明の効果に加え、従来に較べて製造工程が増加せず、コストの増加を抑えることができる。
【発明を実施するための最良の形態】
【００１３】
以下、本発明の実施の形態に係る計器用見返し部材およびその製造方法の詳細を図１〜図４に基づいて説明する。なお、図１は本実施の形態に係る計器用見返し部材を適用した計器の正面図、図２は見返し部材の正面図、図３は図２のＡ−Ａ線断面図、図４は塗装工程を説明する斜視図である。
【００１４】
図１に示すように、計器１は、速度等を示す複数の計器本体２と、これら計器本体２が固定されるケース本体３と、このケース本体３の表面側に組み付けられた計器用ケースを構成する見返し部材４と、この見返し部材４の表面側に固定され、見返し部材４の表示用開口４ａを覆う光透過部材である表ガラス５とを備えている。
【００１５】
各計器本体２の表示部２ａ（数量表示面２ｂを含む）は、ケース本体３の表面上に配置されている。見返し部材４には、各計器本体２の表示部２ａを露出するように３つの表示用開口４ａが形成されている。この各表示用開口４ａの周縁は、外光が計器本体２の表示部２ａに必要以上に侵入しないように表示部２ａの周囲を所定の高さで覆うような略筒形状になっている。そして、表ガラス５の内側位置に配置される表示用開口４ａの周縁面には、図２および図３に明示するように、黒色の艶消し塗装部６が塗装によって設けられている。図２では明確化のために艶消し塗装部６をハッチング表示し、図３では艶消し塗装部６の範囲を領域Ｅを明示する。
【００１６】
表ガラス５に覆われない位置（光透過部材の非装着領域）に配置される見返し部材４の外面で、且つ、上方の角部付近の位置には、２つ星形の塗装識別マーク部７が塗装によって設けられている。
【００１７】
このような構成の計器用見返し部材では、表ガラス５と接触する箇所には艶消し塗装部６が形成されないため、塗装擦れや異音の発生等の不具合を引き起こすことがない。計器用見返し部材に組み付けた製品状態にあって、表ガラス５に覆われない位置に配置される塗装識別マーク部７の有無を目視することによって艶消し塗装が施されているか否かを容易に確認できる。
【００１８】
次に、本実施の形態に係る計器用見返し部材の製造方法について説明する。
【００１９】
先ず、図４に示すように、見返し部材４の外面とほぼ同一形状で、且つ、見返し部材４の艶消し塗装部６と塗装識別マーク部７の各位置に対応する箇所に開口部１０ａ，１０ｂを有するマスク治具１０を用意する。
【００２０】
次に、マスク治具１０を見返し部材４に被せた状態で、マスク治具１０へ向けて塗装ノズル１１より例えば黒色の艶消し塗装を吹き付けて艶消し塗装を行う。すると、見返し部材４には、各表示用開口部４ａの周縁に艶消し塗装部６が、表ガラス５が装着された場合にその外側位置になる箇所に塗装識別マーク部７がそれぞれ塗装によって同時に形成される。
【００２１】
上記構成の計器１では、計器本体２の照明光が見返し部材４の表示用開口４ａの周縁で反射するのを艶消し塗装部６で防止するため、計器本体２の表示部２ａや数量表示面２ｂの表示が見やすくなる。そして、見返し部材４には表ガラス５と接触する箇所に艶消し塗装部６が設けられていないため、塗装擦れや異音の発生等の不具合を引き起こすことがない。
【００２２】
また、本実施の形態の計器用見返し部材では、見返し部材４に表ガラス５を組み付けた製品状態にあって、見返し部材４の表ガラス５に覆われない位置となる面は見やすいため、この位置に形成された塗装識別マーク部７の有無が確認しやくなる。このため、艶消し塗装が施されているか否かを容易に検査できる。
【００２３】
この実施の形態では、塗装識別マーク部７は、艶消し塗装部６の塗装工程で同時に作製しているため、従来に較べて製造工程が増加せず、コストの増加を抑えることができる。
【００２４】
なお、この実施の形態では、塗装識別マーク部７は、その位置が見返し部材４の角部付近で、且つその形状が星形であるが、塗装識別マーク部７の位置は、表ガラス５が配置された場合にその外側位置となる位置であればどの位置であってもよく、塗装識別マーク部７の形状は、作業者が視認できる形状であればどのような形状であってもよい。
【図面の簡単な説明】
【００２５】
【図１】本発明の実施の形態に係る計器用見返し部材を適用した計器の正面図である。
【図２】本発明の実施の形態における見返しの正面図である。
【図３】図２のＡ−Ａ線断面図である。
【図４】本発明の実施の形態に係る計器用見返し部材の製造方法における塗装工程を説明する斜視図である。
【図５】従来の計器の正面図である。
【符号の説明】
【００２６】
１  計器
２  計器本体
２ａ  表示部
２ｂ  数量表示面（表示部）
４  見返し部材
４ａ  表示用開口部
５  表ガラス（光透過部材）
６  艶消し塗装部
７  塗装識別マーク部
【図１】
2006058138.tif 000003
【図２】
2006058138.tif 000004
【図３】
2006058138.tif 000005
【図４】
2006058138.tif 000006
【図５】
2006058138.tif 000007